(57)【要約】      （修正有）【課題】コンセントへのプラグの抜き差しを容易なものとする、天板に配線穴を設けてその下方にコンセント取付け用ダクトを配置するテーブルを提供する。【解決手段】ダクト７は、使用者を左右に見た正面視で、２つのコンセント取付け用傾斜部１０ａ，１０ｂが山形を成して前提としてＷ字形になっていて、一方のコンセント取付け用傾斜部に設けたコンセント１５は一方の側の人から腰掛けた状態で簡単に視認でき、他方のコンセント取付け用傾斜部に設けたコンセント１５は他方の側の人から腰掛けた状態で簡単に視認でき、一々配線穴６を覗き込むことなくプラグ１６を簡単に抜き差しでき、ダクト７を鋼板製とすることで、マグネット式のコンセント１５を簡単に固定できる。【選択図】図２
2015104520.tif 000002
【特許請求の範囲】
【請求項１】
人が相対向して使用できる天板に上下開口の配線穴を設けて、前記配線穴の下方にコンセントを取付けできるダクトが配置されており、前記配線穴から手を入れてプラグを前記コンセントに抜き差しできる構成であって、
前記ダクトを、前記相対向した人を左右に見た正面視で、一方の側の人と対向するように傾斜したコンセント取付け用傾斜部と他方の側の人と対向するように傾斜したコンセント取付け用傾斜部とから成る左右対称状のコンセント取付け部を有する形態と成している、
テーブル。
【請求項２】
前記２つのコンセント取付け用傾斜部はその上端どうしが直接または間接的に連続しており、このため、２つのコンセント取付け用傾斜部で山形の形態を成している、
請求項１に記載したテーブル。
【請求項３】
前記両コンセント取付け用傾斜部の下端には側板が連続しており、前記側板は前記正面視で上に行くほどコンセントから離れように傾斜しており、このため、前記ダクトは前記正面視で全体としてＷ字形になっている、
請求項２に記載したテーブル。
【請求項４】
前記傾斜部の下端には天板に向けて延びる側板が直接に又は間接的に設けられており、前記側板の上端には外側に突出したフランジが連続しており、このフランジが天板の下面に固定されている、
請求項２に記載したテーブル。
【請求項５】
前記配線穴には、前記正面視で左右に分離した２つの蓋が前後方向に延びる軸心回りに回動させ得るように配置されており、前記蓋の回動軸心は、前記正面視で配線穴の左右中間部の側に寄っている、
請求項２ないし４のいずれかに記載したテーブル。
【請求項６】
前記ダクトのうち少なくとも前記コンセント取付け用傾斜部は、マグネット式のコンセントを固定可能な金属素材によって形成されている、
請求項１ないし５のいずれかに記載したテーブル。
【発明の詳細な説明】
【技術分野】
【０００１】
本願発明は、配線穴を備えたテーブルに関するものである。
【背景技術】
【０００２】
商談用などに棒脚タイプのテーブルが多用されているが、人が相対向して使用するテーブルの場合、天板の中間部に配線穴を設けて、配線穴の下方に配線用やコンセント取付け用のダクトを配置していることも多い。
【０００３】
その例として特許文献１には、ダクトの内部に保持板を水平姿勢で配置して、保持板にコンセントを取り付けると共に、配線穴は着脱自在なカバーで覆うことが開示されている。
【先行技術文献】
【特許文献】
【０００４】
【特許文献１】特開２００１−１２８７４５号公報
【発明の概要】
【発明が解決しようとする課題】
【０００５】
さて、ダクトに設けたコンセントにプラグを抜き差しする場合、人はコンセントとプラグとを眼で確認してプラグを接続したり抜き外したりするのが普通であるが、特許文献１のように水平姿勢の保持板にコンセントを設けていると、コンセントはほぼ真上からでないと視認できないため、人は、わざわざ立ち上がって配線穴を覗き込むようにして前屈み姿勢でプラグの接続や抜き外しをせねばならない。このため、プラグの接続・抜き外しが面倒であった。
【０００６】
本願発明は、かかる現状を改善すべく成されたものである。
【課題を解決するための手段】
【０００７】
本願発明は様々の構成を含んでおり、その例を各請求項で特定している。この請求項１の発明は上位概念を成すもので、人が相対向して使用できる天板に上下開口の配線穴を設けて、前記配線穴の下方にコンセントを取付けできるダクトが配置されており、前記配線穴から手を入れてプラグを前記コンセントに抜き差しできる構成であって、前記ダクトを、前記相対向した人を左右に見た正面視で、一方の側の人と対向するように傾斜したコンセント取付け用傾斜部と他方の側の人と対向するように傾斜したコンセント取付け用傾斜部とから成る左右対称状のコンセント取付け部を有する形態と成している。
【０００８】
本願発明において、「一方の側の人と対向するように傾斜した」とは、コンセント取付け用傾斜部の広幅面が一方の側の人の目に入り得るということで、正確には、コンセント取付け用傾斜部における広幅面の垂線が一方の側の人の方向に向いているということである。「他方の側の人と対向するように傾斜した」も同様である。
【０００９】
請求項２の発明は、請求項１において、前記２つのコンセント取付け用傾斜部はその上端どうしが直接または間接的に連続しており、このため、２つのコンセント取付け用傾斜部で山形の形態を成している。
【００１０】
請求項３の発明は請求項２を具体化したものであり、前記両コンセント取付け用傾斜部の下端には側板が連続しており、前記側板は前記正面視で上に行くほどコンセントから離れように傾斜しており、このため、前記ダクトは前記正面視で全体としてＷ字形になっている。
【００１１】
請求項４の発明は、請求項２において、前記傾斜部の下端には天板に向けて延びる側板が直接に又は間接的に設けられており、前記側板の上端には外側に突出したフランジが連続しており、このフランジが天板の下面に固定されている、
請求項２又は３に記載したテーブル。
【００１２】
請求項５の発明は請求項２〜４のうちのいずれにかおいて、前記配線穴には、前記正面視で左右に分離した２つの蓋が前後方向に延びる軸心回りに回動させ得るように配置されており、前記蓋の回動軸心は、前記正面視で配線穴の左右中間部の側に寄っている。
【００１３】
更に請求項６の発明は、前記ダクトのうち少なくとも前記コンセント取付け用傾斜部は、マグネット式のコンセントを固定可能な金属素材によって形成されている。
【発明の効果】
【００１４】
本願発明では、天板を挟んで向かい合わせに腰掛けた人のうち、一方の人の視線の先に一方のコンセント取付け用傾斜部の広幅面が広がっていて、他方の人の視線の先に他方のコンセント取付け用傾斜部の広幅面が広がっている状態にすることができる。
【００１５】
従って、コンセント取付け用傾斜部に固定されたコンセントも、人は腰掛けたままで簡単に視認することができる。このため、テーブルの使用者は一々立ち上がって配線穴を覗き込むような姿勢を採ることなく、椅子に腰掛けたままでプラグをコンセントに接続したり抜き外したりすることができる。従って、使い勝手が非常によい。また、コンセント取付け部は向かい合った人に対応して対称状に一対設けているので、それぞれの使用エリアが明確で、相手に気兼ねすることなくコンセントを使用できる。この点も本願発明の大きな特徴の１つである。
【００１６】
請求項２のように２つのコンセント取付け用傾斜部で山形を構成すると、配線穴の下方の空間が２つ分けられた状態になるため、一方の側の人の使用エリアと他方の側の人の使用エリアとが明確に区分されて、心理的な抵抗なくコンセントを使用できる利点がある（コンセントが相手の人に近い位置にあると、越境するようで心理的な抵抗を持つ場合がある。）。また、ダクトの強度アップにも貢献できる。
【００１７】
この場合、２つの傾斜部を直接に繋げると、左右の傾斜部の間隔がなくなるのでスペースが狭い場合に有益であり、２つの傾斜部を平坦部等にて間接的に繋げると、左右の傾斜部の間隔を広げることができるため、天板の幅が広くて配線空間の左右幅が広い場合に有益である。
【００１８】
請求項３のようにダクトをＷ文字形に形成すると、使用する材料を節約できると共に、強度的にも優れている。また、左右の側面に人の足が当たることを軽減できる利点もある。また、傾斜部と側板とで形成された溝空間にケーブルや他の機器類を配置できるため、収納機能に優れている。
【００１９】
請求項４の構成では、側板に設けたフランジを天板に固定できるため、構造が簡単で既存のテーブルにも適用可能になる利点がある。また、ダクトは天板に固定されるため、強度にといても優れている。
【００２０】
２つのコンセント取付け用傾斜部を山形に配置した場合において、請求項５のように２つの蓋を設けると、使用者はそれぞれ自分の側に位置した蓋を開閉してプラグの抜き差し等を行えるため、テーブルが互いに相手を尊重した構成になっていて、ユーザーフレンドリーである。請求項６の構成を採用すると、コンセントを簡単に固定できると共に、配置位置も簡単に変更できる利点がある。
【図面の簡単な説明】
【００２１】
【図１】実施形態に係るテーブルの外観図であり、（Ａ）は上から見た斜視図、（Ｂ）は下方から見た斜視図である。
【図２】（Ａ）は分離斜視図、（Ｂ）は図１（Ａ）のIIA-IIA 視断面図である。
【図３】（Ａ）は囲い枠と蓋との分離斜視図、（Ｂ）は、一方の蓋は起立姿勢にして他方の蓋は分離した斜視図である。
【図４】（Ａ）は囲い枠の全体の分離斜視図、（Ｂ）は囲い枠の部分的な分離斜視図、（Ｃ）は蓋の側面部の部分斜視図である。
【図５】（Ａ）は囲い枠の部分斜視図、（Ｂ）は軸支部材の分離斜視図、（Ｃ）は囲い枠の部分的な斜視図である。
【図６】他の実施形態を示す図である。
【発明を実施するための形態】
【００２２】
(1).第１実施形態
次に、本願発明の実施形態を説明する。まず、図１，２に基づいて第１実施形態を説明する。テーブルは、平面視四角形（正方形）の天板１とこれをコーナー部において支持する４本の脚２とを備えている。なお、天板１はブラケット３を介して脚２で支持されており、外周方向に隣り合ったブラケット３は補強フレーム４で連結されている。脚２の下端にキャスタを設けている。
【００２３】
本実施形態のテーブルは、天板１を挟んで向かい合わせで人５ａ，５ｂが使用する仕様になっており、そこで、方向を特定するため、向かい合って腰掛けた人５ａ，５ｂを左右に見た方向を正面視とする（正面視と背面視とは区別する意味がない。）。
【００２４】
そして、天板１の中央部には平面視四角形（正方形）の配線穴６が空いており、この配線穴６の下方にダクト７を配置している。配線穴６にはその内周縁を覆う囲い枠８が装着されており、囲い枠８に左右２つの蓋９が着脱自在及び回動自在に装着されている（囲い枠８と蓋９の詳細は後述する。）。
【００２５】
ダクト７は例えば鋼板製であり（樹脂製や木製でもよい）、正面視方向から見て、互いに繋がっていて山形を構成する２つのコンセント取付け用傾斜部１０ａ，１０ｂと、各コンセント取付け用傾斜部１０ａ，１０ｂの下端に一体に設けられた傾斜姿勢の左右側板１１ａ，１１ｂとを有しており、全体としてＷ字形になっている。
【００２６】
すなわち、対称状の２つの傾斜部１０ａ，１０ｂから成るコンセント取付け部とこれに連続した左右の側板１１ａ，１１ｂとを有するＷ字形に形成されており、左右側板１１ａ，１１ｂの上端には水平片１２を外向きに設け、水平片１２を天板１の下面にビス１３で固定している。なお、ダクト７は前後方向には開口しているが、前後に壁板を設けてもよい。
【００２７】
一方のコンセント取付け用傾斜部１０ａは、その広幅面が一方の側の人の５ａの方向に向いており、他方のコンセント取付け用傾斜部１０ｂは、その広幅面が他方の側の人の５ｂの方向に向いている。換言すると、一方のコンセント取付け用傾斜部１０ａの垂線１４ａは一方の側の人５ａの方向に向いており、他方のコンセント取付け用傾斜部１０ｂの垂線１４ｂは、他方の側の人の５ｂの方向に向いている。互いに繋がっているコンセントと側板１１ａ，１１ｂは正面視方向から見て略直交している。
【００２８】
そして、左右のコンセント取付け用傾斜部１０ａ，１０ｂにはそれぞれコンセント（テーブルタップ）１５を固定している。コンセント１５はビスで固定してもよいし、マグネットによって固定してもよい。
【００２９】
コンセント取付け用傾斜部１０ａ，１０ｂは左右２つに別れているため、天板１の一方の側に腰掛けている人は、一方の側のコンセント取付け用傾斜部１０ａ，１０ｂに設けたコンセント１５を使用し、天板１の他方の側に腰掛けている人は、他方の側のコンセント取付け用傾斜部１０ａ，１０ｂに設けたコンセント１５を使用できるが、椅子に腰掛けている人５ａ，５ｂの眼の高さは天板１のかなり上に位置しているため、コンセント取付け用傾斜部１０ａ，１０ｂの広幅面が使用者の視線の向かいに広がっている。
【００３０】
このため、人は腰掛けたままでコンセント１５を視認して、プラグ１６の接続や抜き取りをごく簡単に行える。また、コンセント取付け用傾斜部１０ａ，１０ｂは山形になっているため、それぞれの人５ａ，５ｂの使用エリアが明確になってきて、互いに相手に気兼ねすることなくコンセント１５を使用できる。
【００３１】
実施形態のように側板１１ａ，１１ｂがコンセント取付け用傾斜部１０ａ，１０ｂと直交していると、側板１１ａ，１１ｂがいわばガイドのような役割を果たすため、プラグ１６の抜き差しを一層容易に行える。なお、コンセント取付け用傾斜部１０ａ，１０ｂには、ハブやルータ等の通信機器用コネクタ類を取り付けることも可能である。
【００３２】
ダクト７をオーステナイト系ステンレス板や樹脂のような非磁性体製とした場合は、コンセント取付け用傾斜部１０ａ，１０ｂに鋼板（鉄板）やニッケル板のような磁性板を貼り付けると、マグネット式のコンセント（或いはマグネット式のハブなど）を簡単に固定できる。
【００３３】
(2).囲い枠及び蓋の詳細
次に、図３〜５を参照して囲い枠８と蓋９の詳細を説明する。囲い枠８及び蓋９は樹脂製であり、囲い枠８は、配線穴６の内周を覆うように配線穴６と相似形であり、上端には、天板１の上面に重なるフランジ１８を設けている。囲い枠８は、例えば図３に示す爪片８ａによって天板１に取付けられている。
【００３４】
また、囲い枠８の前後内面には内向きに突出した張り出し部１９を設けており、前後張り出し部１９で左右の蓋９を支持している。図３のとおり、蓋９のうち回動中心から離れた長辺部には指を掛ける張り出し片９ａを設けている。
【００３５】
図３に示すように、蓋９は下向きに開口した浅いトレー状であり、取り外して上向き開口の姿勢で机上に配置すると、ペントレーとして使用することができる。ペントレーとして使用する場合の便宜のため、前後長手の仕切り２０を設けている。蓋９の前後側面には、球面状の軸支用凹所２１と位置決め用凹所２２とを凹み形成している。軸支用凹所２１は配線穴６の中心線の側に寄っており（偏位しており）、位置決め用凹所２２は軸支用凹所２１よりも左右外側に位置している。
【００３６】
そして、囲い枠８の前後張り出し部１９の相対向する面には、蓋９の軸支用凹所２１に嵌まる軸支突起２３と、蓋９の位置決め用凹所２２が嵌まるストッパー突起２４とを設けている。軸支突起２３とストッパー突起２４とは球面状になっている。また、張り出し部１９には、蓋９を閉じた状態に保持する第１受け片２５と、蓋９を直立姿勢に開けた状態に保持する第２受け片２５とを内向き突設している。第２受け片２５は第１受け片２４よりも下に位置している。
【００３７】
ストッパー突起２４は張り出し部１９に一体に設けている。すなわち、図５（Ｃ）に明示するように、ストッパー突起２４は、左右横長のスリット２７で囲われた片持ち梁状のばね片部２８の先端に設けており、このため、ばね片部２８の弾性に抗して、蓋９の位置決め凹所２２をストッパー突起２４に嵌脱させることができる。
【００３８】
他方、軸支用突起２３は囲い枠８とは別部材になっており、箱状のケース２９にスライド自在に装着したスライダー３０に設けている。そして、軸支用突起２３は張り出し部１９に設けた穴３１から配線穴６に露出している。図５（Ｂ）に示すように、スライダー３０はばね３２で前進方向に付勢されている。また、スライダー３０に設けた左右の爪３３がケース２９に設けた長穴３４に嵌まっており、これにより、スライダー３０はケース２９に抜け不能に保持されている。
【００３９】
ケース２９は囲い枠８に設けた角形の横穴３５に外側から嵌め込まれている。そして、図４（Ｂ）に示すように、ケース２９の下面部に係合爪３６を設ける一方、横穴３５を構成する下面板には係合穴３７を形成しており、係合爪３６が係合穴３７に嵌まることで、ケース２９は抜け不能に保持されている。蓋９は軸支用突起２３を中心にして水平姿勢から起立姿勢まで回動し、起立姿勢では、下端面が第２受け片２５に当接することで倒れ不能に保持される。
【００４０】
また、蓋９はばね３２に抗して軸支用突起２３を後退させることで、囲い枠８らか取り外すことができる。軸支用突起２３は囲い枠８に一体に設けることも可能であるが、軸支用凹所２１のように囲い枠８とは別部材としてばね３２で付勢すると、蓋９の軸支機能の確実性に優れている。
【００４１】
囲い枠８の前後内面のうち張り出し部１９の左右両側の部分には、通信用等のケーブル３８を保持できる鉤状のホルダー３９が一体に形成されている。ホルダー３８は、張り出し部１９の前後外側に位置している。従って、蓋９を閉じた状態でもケーブル３８は机上に引き出されている。なお、蓋９を閉じた状態で、囲い枠８の左右内面と蓋９との間にもケーブルを引出しできる隙間が空いている。
【００４２】
囲い枠８における張り出し部１９の左右中間部には、平面視角形の中心穴４０が空いており、キャップ４１で塞がれる。この中心穴４０は、図１に一点鎖線で示すように机上に仕切りパネル４１を配置するに当たって、仕切りパネル４１に設けた支柱を差し込むためのものである。
【００４３】
(3).他の実施形態
次に、図６に示す他の実施形態を説明する。図６のうち（Ａ）に示す第２実施形態では、コンセント取付け用傾斜部１０ａ，１０ｂと側板１１ａ，１１ｂとが幅狭の下平坦部４３を介して連続している。全体としてＷ字形になっている点において、第１実施形態と同じである。
【００４４】
（Ｂ）に示す第３実施形態では、側板１１ａ，１１ｂは鉛直姿勢になっており、コンセント取付け用傾斜部１０ａ，１０ｂと側板１１ａ，１１ｂと幅広の下平坦部４３を介して繋がっている。これも第2 実施形態と基本的に同じである。
【００４５】
（Ｃ）に示す第４実施形態では、２つのコンセント取付け用傾斜部１０ａ，１０ｂが上平坦部４４を介して繋がっている。これも、２つのコンセント取付け用傾斜部で山形の形態を成している点や、全体としてＷ字形になっている点において、第１実施形態と同じである。
【００４６】
（Ｄ）に示す第５実施形態は、（Ａ）の実施形態と（Ｃ）の実施形態との組み合わせであり、コンセント取付け用傾斜部１０ａ，１０ｂの上端は平坦部４４を介して繋がって、コンセント取付け用傾斜部１０ａ，１０ｂと側板１１ａ，１１ｂとは下平坦部４３を介して繋がっている。これも、２つのコンセント取付け用傾斜部で山形の形態を成している点や、全体としてＷ字形になっている点が第１実施形態と同じである。
【００４７】
（Ｅ）に示す第６実施形態は、一対のコンセント取付け用傾斜部１０ａ，１０ｂが下平坦部４４を介して繋がっており、コンセント取付け用傾斜部１０ａ，１０ｂの上端に設けた水平片１２を天板１に固定している。従って、ダクト７は逆台形になっている。この実施形態では、一方の人が使用するコンセント１５は他方の人の側に寄って、他方の人が使用するコンセント１５は一方の人の側に寄っている。この場合は、左右のコンセント１５を前後方向にずらして配置すると、ケーブルの干渉を防止できる。
【００４８】
以上、本願発明の実施形態を説明したが、本願発明は上記の実施形態の他にも様々に具体化できる。例えば、天板は正方形でなくて複数人ずつが対向して使用できる長方形でもよいのであり、この場合は、配線穴及びダクトは天板の長手方向に長くしたらよい。蓋は必ずしも設ける必要はない。
【産業上の利用可能性】
【００４９】
本願発明はテーブルに具体化できる。従って、産業上利用できる。
【符号の説明】
【００５０】
１  天板
２  脚
５ａ  一方の人
５ｂ  一方の人
６  配線穴
７  ダクト
８  囲い枠
９  蓋
１０ａ  一方のコンセント取付け用傾斜部
１０ｂ  他方のコンセント取付け用傾斜部
１１ａ，１１ｂ  側板
１５  コンセント（テーブルタップ）
１６  プラグ
【図１】
2015104520.tif 000003
【図２】
2015104520.tif 000004
【図３】
2015104520.tif 000005
【図４】
2015104520.tif 000006
【図５】
2015104520.tif 000007
【図６】
2015104520.tif 000008